(57)【要約】【課題】例えばテレビジョン受信機の表示機能及び広告用の表示機能などを有する一台の映像表示装置において、簡単な操作で表示機能を素早く切り替えることが可能な技術を提供することを目的とする。【解決手段】映像表示装置は、表示部１と、書き換え可能な記録媒体からデータを読み出すメモリカードスロット４と、テレビジョン受信機の表示機能と、広告用の表示機能とを有する表示制御部７ａと、切替部７ｂとを備える。切替部７ｂは、メモリカードから読み出し可能な、テレビジョン受信機の表示機能または広告用の表示機能への切り替えを指定する指定コードに基づいて、表示制御部７ａが実行すべき表示機能を切り替える。【選択図】図１
2015220514.tif 000002
【特許請求の範囲】
【請求項１】
表示部と、
書き換え可能な記録媒体からデータを読み出すデータ読込部と、
前記記録媒体から読み出した第１の前記データに応じた映像を前記表示部に表示させる第１表示機能と、所望の映像を前記表示部に表示させる第２表示機能とを有する表示制御部と、
前記記録媒体から読み出し可能な、前記第１または第２表示機能への切り替えを指定する第２の前記データに基づいて、前記表示制御部が実行すべき表示機能を、前記第１または第２表示機能に切り替える切替部と
を備える、映像表示装置。
【請求項２】
請求項１に記載の映像表示装置であって、
前記第１表示機能を前記表示制御部にて実現するための第１プログラムと、前記第２表示機能を前記表示制御部にて実現するための第２プログラムとが記憶された記憶部
をさらに備える、映像表示装置。
【請求項３】
請求項１または請求項２に記載の映像表示装置であって、
前記切替部は、
前記第２のデータのみに基づいて前記切り替えを行う、映像表示装置。
【請求項４】
請求項１から請求項３のうちいずれか１項に記載の映像表示装置であって、
前記切替部は、
前記データ読込部によって前記第２のデータが読み出された場合に、前記表示制御部が実行すべき表示機能を、当該第２のデータで指定された前記第１または第２表示機能に自動的に切り替え、
前記表示制御部は、
前記切替部によって変更された前記表示機能を自動的に実行する、映像表示装置。
【請求項５】
請求項１から請求項４のうちいずれか１項に記載の映像表示装置であって、
前記第２表示機能は、家庭用のテレビジョン受信機の表示機能を含む、映像表示装置。
【請求項６】
請求項１から請求項５のうちいずれか１項に記載の映像表示装置であって、
前記第１表示機能は、家庭用のテレビジョン受信機の表示機能と、予め定められた表示機能とを組み合わせた広告用の表示機能を含む、映像表示装置。
【請求項７】
請求項１から請求項６のうちいずれか１項に記載の映像表示装置に用いられる前記記録媒体であって、
前記第２のデータが、変更も消去もできない特定の記憶領域に保存された、記録媒体。
【発明の詳細な説明】
【技術分野】
【０００１】
本発明は、映像表示装置及び記録媒体に関し、特に電子広告表示等に使用可能な映像表示装置及び記録媒体に関する。
【背景技術】
【０００２】
従来の電子広告表示に使用する業務用の映像表示装置においては、メモリカードから電子広告（以下「広告」と略記する）のコンテンツを読み出すメモリカードスロットを備え、当該読み出した広告コンテンツの表示（再生）を行うものがある。
【０００３】
特許文献１に開示の技術では、広告コンテンツを時間に応じて切り替えて表示するスケジュール機能などの専用の表示機能が、広告用の表示機能に含まれている。
【０００４】
また、特許文献２に開示の技術では、映像表示装置本体に読み込ませて広告を表示させるための広告用プログラムと、その広告用プログラムによって表示（再生）される広告コンテンツとをメモリカードに予め保存しておく。そして、映像表示装置に当該メモリカードが挿入されたときに、映像表示装置は、メモリカード内の広告用プログラムを読み込み、当該広告用プログラムを動作させることによって、同じメモリカードに保存されている広告コンテンツを表示（再生）する。
【先行技術文献】
【特許文献】
【０００５】
【特許文献１】特開２００４−２０５７７８号公報
【特許文献２】国際公開第２００２／０２７５７２号
【発明の概要】
【発明が解決しようとする課題】
【０００６】
さて、近年の家庭用テレビジョン受信機では、大型化、高機能化が図られており、デジタルカメラまたはムービカメラで撮影された映像をメモリカードから読み出すメモリカードスロットと、当該読み出した映像を表示（再生）する表示機能とを備えるものがある。そこで、家庭用テレビジョン受信機におけるそのような表示機能に上述のスケジュール機能などを追加して、メモリカードに保存された広告コンテンツを家庭用テレビジョン受信機で表示（再生）することが提案されている。
【０００７】
しかしながら、このようなテレビジョン受信機では、テレビジョン受信機の通常の表示機能と、上述のスケジュール機能などを用いて広告を行う広告用の表示機能とを適宜切り替えることが求められる。この結果、従来の家庭用テレビジョン受信機の表示機能に対する操作に加えて、広告用の表示機能に切り替える操作が必要となるため、全体の操作が複雑化するという問題がある。
【０００８】
なお、この問題を解決する方法として、特許文献２に開示された構成が考えられる。しかしながら、メモリカード等の記録媒体に広告用プログラムを保存しているため、広告コンテンツを表示（再生）する前に広告用プログラムを映像表示装置に読み込ませてから、広告用の表示機能を起動させる必要がある。この結果、広告コンテンツを表示（再生）するまでに時間がかかることがあるという問題があった。
【０００９】
そこで、本発明は、上記のような問題点を鑑みてなされたものであり、例えばテレビジョン受信機の表示機能及び広告用の表示機能などを有する一台の映像表示装置において、簡単な操作で表示機能を素早く切り替えることが可能な技術を提供することを目的とする。
【課題を解決するための手段】
【００１０】
本発明に係る映像表示装置は、表示部と、書き換え可能な記録媒体からデータを読み出すデータ読込部と、前記記録媒体から読み出した第１の前記データに応じた映像を前記表示部に表示させる第１表示機能と、所望の映像を前記表示部に表示させる第２表示機能とを有する表示制御部と、前記記録媒体から読み出し可能な、前記第１または第２表示機能への切り替えを指定する第２の前記データに基づいて、前記表示制御部が実行すべき表示機能を、前記第１または第２表示機能に切り替える切替部とを備える。
【発明の効果】
【００１１】
本発明によれば、録媒体から読み出し可能な第２のデータに基づいて、表示制御部が実行すべき表示機能を、第１または第２表示機能に切り替える。これにより、例えばテレビジョン受信機の表示機能及び広告用の表示機能などを有する一台の映像表示装置において、簡単な操作で表示機能を素早く切り替えることができる。
【図面の簡単な説明】
【００１２】
【図１】実施の形態１に係る映像表示装置の構成を示すブロック図である。
【図２】実施の形態１に係るメモリカードの構成を示すブロック図である。
【図３】実施の形態１に係る映像表示装置の動作を示すフローチャートである。
【発明を実施するための形態】
【００１３】
＜実施の形態１＞
＜映像表示装置の構成＞
図１は、本発明の実施の形態１に係る映像表示装置の構成を示すブロック図である。図１の映像表示装置は、表示部１と、チューナ２と、外部映像入力端子３と、データ読込部であるメモリカードスロット４と、記憶部であるプログラムメモリ５と、ワーキングメモリ６と、これらを統括的に制御するシステムコントローラ７とを備えている。
【００１４】
表示部１は、システムコントローラ７の制御によって映像を表示する。表示部１には、例えば液晶モジュールなどが適用される。
【００１５】
チューナ２は、例えば地上デジタルテレビ放送などの放送波を受信し、当該受信した放送波に基づいて信号を生成する。外部映像入力端子３には、有線などを介して、信号が入力される。
【００１６】
メモリカードスロット４は、書き換え可能な記録媒体であるメモリカードを装着可能に構成されている。メモリカードスロット４は、装着（挿入）されたメモリカードから、映像データなどの各種データを読み出す。なお、メモリカードスロット４から読み出される映像データには、広告用の映像を表示するための広告データが含まれることもある。
【００１７】
プログラムメモリ５は、システムコントローラ７の動作を規定するプログラム５ａを記憶（格納）している。プログラム５ａには、後述する第１プログラム５ａ１及び第２プログラム５ａ２が含まれている。ワーキングメモリ６は、システムコントローラ７がプログラム５ａに従って動作する際に適宜使用される。
【００１８】
システムコントローラ７は、例えばＣＰＵ（Central Processing Unit）などから構成されている。システムコントローラ７がワーキングメモリ６を適宜使用しつつ、プログラム５ａを実行することにより、システムコントローラ７にて表示制御部７ａ及び切替部７ｂが実現されている。
【００１９】
表示制御部７ａは、メモリカードスロット４がメモリカードから読み出した広告データ（第１のデータ）に応じた映像を表示部１に表示させる第１表示機能と、所望の映像を表示部１に表示させる第２表示機能とを有している。以下、第１表示機能は、広告用の表示機能であり、第２表示機能は、家庭用のテレビジョン受信機の表示機能であるものとして説明する。なお、上述の第１プログラム５ａ１は、広告用の表示機能を表示制御部７ａ（システムコントローラ７）にて実現するためのプログラムであり、第２プログラム５ａ２は、テレビジョン受信機の表示機能を表示制御部７ａ（システムコントローラ７）にて実現するためのプログラムである。
【００２０】
切替部７ｂは、メモリカードから読み出し可能な、広告用の表示機能への切り替えを指定する指定コード（第２のデータ）に基づいて、表示制御部７ａが実行すべき表示機能を、広告用の表示機能に切り替える。本実施の形態１では、切替部７ｂは、メモリカードから指定コード（識別コード）を読み出すことができたか否かに基づいて、表示制御部７ａが実行すべき表示機能を、広告用の表示機能に切り替える。
【００２１】
＜テレビジョン受信機の表示機能＞
次に、テレビジョン受信機の表示機能について詳細に説明する。システムコントローラ７は、プログラムメモリ５から第１プログラム５ａ１を読み出してそれを実行することにより、所望の機能を有するテレビジョン受信機の表示機能を実行することが可能となる。電源投入後には、映像表示装置は、テレビジョン受信機の表示機能を実行して、家庭用のテレビジョン受信機として起動する。
【００２２】
表示制御部７ａが、テレビジョン受信機の表示機能を実行する場合には、例えばチューナ２からの信号を復調して映像データを生成し、当該映像データに映像処理を行う。そして、表示制御部７ａは、映像処理後の映像データを表示部１に出力することにより、当該映像データに応じた映像を表示部１に表示させる。
【００２３】
また、表示制御部７ａは、テレビジョン受信機の表示機能を実行する場合には、外部映像入力端子３から入力された信号についても同様の処理を行うことにより、映像データに応じた映像を表示部１に表示させる。さらに、表示制御部７ａは、テレビジョン受信機の表示機能を実行する場合には、メモリカードスロット４がメモリカードから読み込んだ映像データ（例えば写真データや動画データ）に応じた映像を表示部１に表示させる。なお、表示部１に表示させる映像は、チューナ２、外部映像入力端子３及びメモリカードの映像の中からユーザの操作によって選択される。
【００２４】
＜広告用の表示機能＞
次に、広告用の表示機能について詳細に説明する。システムコントローラ７は、プログラムメモリ５から第２プログラム５ａ２を読み出してそれを実行することにより、所望の機能を有する広告用の表示機能を実行することが可能となる。なお、広告用の表示機能は、上述のテレビジョン受信機の表示機能と、専用の表示機能（予め定められた表示機能）とを組み合わせた表示機能である。そして、専用の表示機能には、メモリカードがメモリカードスロット４に挿入された場合に当該メモリカードに記憶された広告データを自動的に表示（再生）する機能、または、予め定められた再生スケジュールに従って広告データの映像を時間に応じて切り替えるスケジュール機能などが適用される。
【００２５】
ここで、通常、メモリカードなどの外部メモリからプログラムを読み出す速度よりも、プログラムメモリ５などの内部メモリからプログラムを読み出す速度の方が早い。このため、プログラムメモリ５からプログラムを読み出す本実施の形態１に係る構成によれば、広告用の表示機能を素早く実行することが可能となる。また、メモリカードがメモリカードスロット４に挿入されていなくても、事前に（例えば電源投入直後に）第２プログラム５ａ２を実行してスタンバイ状態にしておくことにより、メモリカード挿入後に広告用の表示機能をすぐに実行することが可能となる。
【００２６】
＜メモリカードの構成＞
図２は、本実施の形態１に係るメモリカードの内部構造を示すブロック図である。図２のメモリカードは、コントローラ１１と、不揮発メモリ１２とを備えている。
【００２７】
コントローラ１１は、不揮発メモリ１２内への書き込み／読み出しを制御する。不揮発メモリ１２は、外部からの電力が供給されなくても書き込まれたデータを記憶（保持）するメモリである。ここでは、不揮発メモリ１２は、管理領域１２ａと、ユーザ使用領域１２ｂとを含んでいる。
【００２８】
メモリカードへのデータの書き込み、メモリカードからのデータの読み出しは、コントローラ１１を介して行われる。コントローラ１１は、ユーザの一般的な操作に対して、管理領域１２ａの読み出し、ユーザ使用領域１２ｂの書き込み／読み出しを行うことは許可するが、管理領域１２ａへの書き込みは禁止する。これにより、管理領域１２ａは、ユーザの一般的な操作に対して、データの変更も消去もできない特定の記憶領域となっている。ただし、これに限ったものではなく、管理領域１２ａは、一度操作された後はいかなる操作に対しても、データの変更も消去もできない特定の記憶領域であってもよい。
【００２９】
上述の映像表示装置のメモリカードスロット４には、広告用の表示を行うためのメモリカード、または、広告用の表示を行わないメモリカードが挿入される。ここで、広告用の表示を行うためのメモリカードでは、ユーザ使用領域１２ｂに上述の広告データが記憶され、管理領域１２ａに上述の指定コードが記憶されており、広告用の表示を行わないメモリカードでは、管理領域１２ａに上述の指定コードが記憶されていないものとする。
【００３０】
＜動作＞
図３は、本実施の形態１に係る映像表示装置の起動時の動作を示すフローチャートである。
【００３１】
まず、ステップＳ１にて、映像表示装置が起動を開始すると、ステップＳ２にて、システムコントローラ７は、メモリカードがメモリカードスロット４に挿入されたか否かを確認する。挿入されたこと確認した場合にはステップＳ３に進み、そうでない場合にはステップＳ５に進む。
【００３２】
ステップＳ３にて、メモリカードスロット４は、挿入されたメモリカードの管理領域１２ａの予め定められた位置のデータを読み取る。システムコントローラ７は、当該読み取ったデータに指定コードが含まれるか否か、つまり、指定コードの有無を確認する。指定コードが含まれる（指定コードがある）ことを確認した場合にはステップＳ４に進み、そうでない場合にはステップＳ５に進む。
【００３３】
ステップＳ３からステップＳ４に進んだ場合には、システムコントローラ７は、広告用の表示機能を有効化する。ここでは、この場合に、切替部７ｂは、表示制御部７ａが実行すべき表示機能を、指定コードで指定された広告用の表示機能に自動的に切り替える。そして、表示制御部７ａは、切替部７ｂによって変更された表示機能（広告用の表示機能）を自動的に実行する。その後、ステップＳ６に進む。
【００３４】
ステップＳ２またはステップＳ３からステップＳ５に進んだ場合には、システムコントローラ７は、広告用の表示機能を無効化する。ここでは、この場合に、切替部７ｂは、表示制御部７ａが実行すべき表示機能を、指定コードで指定されなかったテレビジョン受信機の表示機能に自動的に切り替える。そして、表示制御部７ａは、切替部７ｂによって変更された表示機能（テレビジョン受信機の表示機能）を自動的に実行する。その後、ステップＳ６に進む。
【００３５】
ステップＳ６にて、映像表示装置の起動が完了する。その後、図３に示す動作が終了する。
【００３６】
なお、以上の説明では、映像表示装置の起動時においてメモリカードの指定コードの確認を行う場合について説明した。しかしこれに限ったものではなく、起動が完了した後に、ステップＳ２〜Ｓ５の一連の工程（メモリカードの挿入の確認、指定コードの確認、広告用の表示機能の有効化／無効化）が適宜行われてもよい。
【００３７】
＜効果＞
以上のような本実施の形態１に係る映像表示装置によれば、メモリカードから読み出し可能な、広告用の表示機能への切り替えを指定する指定コードに基づいて、表示制御部７ａが実行すべき表示機能を、広告用の表示機能に切り替える。これにより、本実施の形態１のようにテレビジョン受信機の表示機能及び広告用の表示機能などを有する一台の映像表示装置において、簡単な操作で表示機能を素早く切り替えることができる。
【００３８】
また、本実施の形態１では、プログラムメモリ５は、第１プログラム５ａ１及び第２プログラム５ａ２を記憶しており、切替部７ｂは、上述の指定コードのみに基づいて、上述の切り替えを行う。これにより、表示機能を素早く切り替えることが可能となる。
【００３９】
また、本実施の形態１では、メモリカードスロット４によって上述の指定コードが読み出された場合に、広告用の表示機能への切り替え及び実行が自動的に行われる。これにより、ユーザは、切り替えるための特別な操作を行わなくても、メモリカードをメモリカードスロット４に挿入するだけで表示機能を切り替えることができる。
【００４０】
また、本実施の形態１に係るメモリカードによれば、指定コードが、変更も消去もできない管理領域１２ａに記憶されている。これにより、例えばユーザがパーソナルコンピュータなどを用いて、ユーザ使用領域１２ｂの広告コンテンツを作成、編集して保存したり、メモリカードを初期化したりしても、指定コードが誤って再書き込みにより破損したり、消去されたりする虞がなくなる。このため、ユーザはメモリカードを安心して使用することができる。
【００４１】
＜変形例＞
以上の実施の形態１では、指定コードは、広告用の表示機能への切り替えを指定していた。しかしこれに限ったものではなく、指定コードは、家庭用のテレビジョン受信機の表示機能への切り替えを指定してもよい。このような構成において、切替部７ｂは、メモリカードスロット４によって指定コードが読み出された場合に、表示制御部７ａが実行すべき表示機能を、テレビジョン受信機の表示機能に自動的に切り替えてもよい。そして、表示制御部７ａは、切替部７ｂによって変更された表示機能を自動的に実行してもよい。
【００４２】
なお、以上の説明では、映像表示装置の一例として、テレビジョン受信機の機能を有する装置として説明したが、これに限ったものではない。例えば、映像表示装置は、チューナ機能等を搭載しないディスプレイモニタ等であってもよい。また、メモリカードスロット４を備えていれば、他の入力部は、チューナ２及び外部映像入力端子３に限ったものではなく、例えば有線または無線ネットワークのＬＡＮ（Local Area Network）、無線ネットワークのＷｉ−Ｆｉ（登録商標）、または、赤外線通信などであってもよい。
【００４３】
なお、本発明は、その発明の範囲内において、実施の形態を適宜、変形、省略することが可能である。
【符号の説明】
【００４４】
１  表示部、４  メモリカードスロット、５  プログラムメモリ、５ａ１  第１プログラム、５ａ２  第２プログラム、７ａ  表示制御部、７ｂ  切替部、１２ａ  管理領域。
【図１】
2015220514.tif 000003
【図２】
2015220514.tif 000004
【図３】
2015220514.tif 000005